(57)【要約】      （修正有）【課題】一着の上衣で、二つの用途に使用できる上衣を提供する。【解決手段】身体の前をおおう前身頃と身体の後ろをおおう後ろ身頃１４とを備える上衣であって、前身頃及び／又は後ろ身頃１４は、上下に分割され、上部分は、シート状表示体を覆うシート状被覆体１６で構成され、下部分は、被覆体の下部分に連結される、表地１８で構成され、前記被覆体１６は、表示体２０の上端近傍を固定して、シート状表示体２０を下方の表地の外表面上に垂れ下がらせ、且つ、シート状表示体２０をその内側に収納してシート状表示体２０を被覆するように構成する。【選択図】図２
0003150548.tif 000002
【実用新案登録請求の範囲】
【請求項１】
身体の前をおおう前身頃と身体の後ろをおおう後ろ身頃とを備える上衣であって、
前身頃及び／又は後ろ身頃は、上下に分割され、
上部分は、シート状表示体を覆うシート状被覆体で構成され、
下部分は、被覆体の下部分に連結される、表地で構成され、
前記被覆体は、表示体の上端近傍を固定して、シート状表示体を下方の表地の外表面上に垂れ下がらせ、且つ、シート状表示体をその内側に収納してシート状表示体を被覆するように構成された、上衣。
【請求項２】
後ろ身頃は、上下に分割されてなる、上部の被覆体と、下部の表地で構成され、被覆体は、肩から脇下に至る長さを備え、
被覆体は、上端が肩において前身頃と連結され、且つ、両端のアームホールの部分が腕を通すことができるように抉れ、両端が脇下において前身頃と連結されるとともに、表地は、上端が前記被覆体の下に連結され且つ両端が胴において前身頃と連結された、請求項１に記載の上衣。
【請求項３】
被覆体は、
肩から脇下に至る長さを備えた、背面視略五角形であり、左脇下から右脇下に至る下端縁の近傍の領域が、下方の表地の上端縁の近傍の領域に重ねられた、請求項１又は請求項２に記載の上衣。
【請求項４】
表示体は、被覆体の下端縁の近傍の領域の内側より下方に垂れ下がり、外から視認することができるとともに、被覆体の上端縁近傍の領域より下方に垂れ下がり、外から視認することができないように構成された、請求項１ないし請求項３のいずれかに記載の上衣。
【請求項５】
表示体は、背面視四角形の布片で、その外面に、身分、氏名、番号を表示された、請求項１ないし請求項４のいずれかに記載の上衣。
【請求項６】
被覆体は、両肩領域の内側に第１面ファスナーが付着され、且つ、下端縁領域の内側に第２面ファスナーが付着され、
表示体は、上端縁の近傍の領域の外側において被覆体の下端縁の近傍の内側と固着されるとともに、下端縁の近傍の領域の内側に、第３面ファスナーが付着され、
表地は、上端縁の近傍の領域の外側に、第５面ファスナーが付着され、
表示体を隠すときにおいては、被覆体の第１面ファスナーに表示体の下端縁の近傍の第３面ファスナーを係止させて、被覆体の内側に収納させ、
表示体を見えるようにするときにおいては、表地の上端縁の近傍の領域に固着された面ファスナーと被覆体の下端の近傍の内側の第２面ファスナーと係止させて、被覆体と表地とを連結するように構成された、請求項１ないし請求項５のいずれかに記載の上衣。
【請求項７】
第１面ファスナーは、左肩と右肩とに適宜な間隔をおいて分かれて、表示体を伸展した状態で収納して、被覆体にしわができずに外から表示体の存在を感じさせないように被覆体でおおわれるように構成された、請求項１ないし請求項６のいずれかに記載の上衣。
【請求項８】
第３面ファスナーは、左肩と右肩とに適宜な間隔をおいて分かれて、表示体を伸展した状態で収納して、表示体にしわができずに外から表示体の存在を感じさせないように被覆体でおおわれるように構成された、請求項１ないし請求項７のいずれかに記載の上衣。
【請求項９】
第５面ファスナーは、左脇下と右脇下とに適宜な間隔をおいて分かれて、表地と被覆体とを伸展した状態で重ねて連結され、表地及び被覆体にしわができないように構成された、請求項１ないし請求項８のいずれかに記載の上衣。
【請求項１０】
被覆体は遮蔽性に富んだ織布で構成されている、請求項１ないし請求項９のいずれかに記載の上衣。
【請求項１１】
身体の前をおおう前身頃と身体の後ろをおおう後ろ身頃とを備える上衣であって、
後ろ身頃は、上下に分割され、
上部分は、シート状表示体を覆うシート状被覆体で構成され、
下部分は、被覆体の下部分に連結される、メッシュ素材の布及び／又は織布からなる表地で構成され、
被覆体は、
肩から脇下に至る長さを備えた、遮蔽性に富んだ織布で構成されている背面視略五角形であり、左脇下から右脇下に至る下端縁の近傍の領域が、下方の表地の上端縁の近傍の領域に重ねられ、上端が肩において前身頃と連結され、且つ、両端のアームホールの部分が腕を通すことができるように抉れ、両端が脇下において前身頃と連結されるとともに、表地は、上端が前記被覆体の下に連結され且つ両端が胴において前身頃と連結され、表示体の上端近傍を固定して、シート状表示体を下方の表地の外表面上に垂れ下がらせ、且つ、シート状表示体をその内側に収納してシート状表示体を被覆するように構成され、
表示体は、
背面視四角形の布片で、その外面に、身分、氏名、番号を表示され、被覆体の下端縁の近傍の領域の内側より下方に垂れ下がり、外から視認することができるとともに、被覆体の上端縁近傍の領域より下方に垂れ下がり、外から視認することができないように構成され、
被覆体は、両肩領域の内側に第１面ファスナーが付着され、且つ、下端縁領域の内側に第２面ファスナーが付着され、
表示体は、上端縁の近傍の領域の外側において被覆体の下端縁の近傍の内側と固着されるとともに、下端縁の近傍の領域の内側に、第３面ファスナーが付着され、
表地は、上端縁の近傍の領域の外側に、第５面ファスナーが付着され、
表示体を隠すときにおいては、被覆体の第１面ファスナーに表示体の下端縁の近傍の第３面ファスナーを係止させて、被覆体の内側に収納させ、
表示体を見えるようにするときにおいては、表地の上端縁の近傍の領域に固着された面ファスナーと被覆体の下端の近傍の内側の第２面ファスナーと係止させて、被覆体と表地とを連結するように構成され、
第１面ファスナーは、左肩と右肩とに適宜な間隔をおいて分かれて、表示体を伸展した状態で収納して、被覆体にしわができずに外から表示体の存在を感じさせないように被覆体でおおわれるように構成され、
第３面ファスナーは、左肩と右肩とに適宜な間隔をおいて分かれて、表示体を伸展した状態で収納して、表示体にしわができずに外から表示体の存在を感じさせないように被覆体でおおわれるように構成され、
第５面ファスナーは、左脇下と右脇下とに適宜な間隔をおいて分かれて、表地と被覆体とを伸展した状態で重ねて連結され、表地及び被覆体にしわができないように構成された、上衣。
【請求項１２】
被覆体は、アームホールの上部における上端が肩領域において前身頃と連結され、
表地は、アームホールの下部における両端が胴において前身頃と連結された、請求項１ないし請求項１１のいずれかに記載の上衣。
【請求項１３】
上衣は、公用で着衣する制服である、請求項１ないし請求項１２のいずれかに記載の上衣。
【考案の詳細な説明】
【技術分野】
【０００１】
この考案は、上衣に関し、特に、例えば公用と私用の両方に私用できる上衣に関する。
【背景技術】
【０００２】
従来の上衣例えば公用の制服は、その背中の部分に、例えば警察官などの身分等がわかるような文字等を大きく表示されている。
上衣は、背中に形成された身分等の表示を隠したり、見せたりすることの出来ない簡単な構造であって、表示を見せたくない場所に行く場合、その上衣を脱ぐか、上から別の服を重ね着する必要があった。
また、夜間歩行時等の必要時のみ再帰反射性の部分を露出して光を反射させることができ、走行車両等からの視認性を増して、夜間の行動の安全を図ることがきる、手荷物にならない隠蔽自在な再帰反射材付き夜光安全衣服が提案されている（特開２００３−２２１７１２号公報）。
【先行技術文献】
【特許文献】
【０００３】
【特許文献１】特開２００３−２２１７１２号公報
【考案の概要】
【考案が解決しようとする課題】
【０００４】
例えば、公用で、警察官が、潜入捜査に行くときや、帰社するときに、警察官であることがわからないようにしたいが、従来の上衣では、背中に入れた表示を見えなくするためには、その上衣を着替えるか、上衣とは別の表示のない衣料を重ね着する必要がある。
そのために、一つの上衣で、複数の用途に用いることができる上衣が求められている。
それゆえに、この考案の主たる目的は、一着の上衣で、二つの用途に使用できる上衣を提供することである。
【課題を解決するための手段】
【０００５】
この考案にかかる上衣は、身体の前をおおう前身頃と身体の後ろをおおう後ろ身頃とを備える上衣であって、前身頃及び／又は後ろ身頃は、上下に分割され、上部分は、シート状表示体を覆うシート状被覆体で構成され、下部分は、被覆体の下部分に連結される、表地で構成され、前記被覆体は、表示体の上端近傍を固定して、シート状表示体を下方の表地の外表面上に垂れ下がらせ、且つ、シート状表示体をその内側に収納してシート状表示体を被覆するように構成された、上衣である。
この考案の請求項２にかかる上衣は、後ろ身頃は、上下に分割されてなる、上部の被覆体と、下部の表地で構成され、被覆体は、肩から脇下に至る長さを備え、被覆体は、上端が肩において前身頃と連結され、且つ、両端のアームホールの部分が腕を通すことができるように抉れ、両端が脇下において前身頃と連結されるとともに、表地は、上端が前記被覆体の下に連結され且つ両端が胴において前身頃と連結された、請求項１に記載の上衣である。
この考案の請求項３にかかる上衣は、被覆体は、肩から脇下に至る長さを備えた、背面視略五角形であり、左脇下から右脇下に至る下端縁の近傍の領域が、下方の表地の上端縁の近傍の領域に重ねられた、請求項１又は請求項２に記載の上衣である。
この考案の請求項４にかかる上衣は、表示体は、被覆体の下端縁の近傍の領域の内側より下方に垂れ下がり、外から視認することができるとともに、被覆体の上端縁近傍の領域より下方に垂れ下がり、外から視認することができないように構成された、請求項１ないし請求項３のいずれかに記載の上衣である。
この考案の請求項５にかかる上衣は、表示体は、背面視四角形の布片で、その外面に、身分、氏名、番号を表示された、請求項１ないし請求項４のいずれかに記載の上衣である。
この考案の請求項６にかかる上衣は、被覆体は、両肩領域の内側に第１面ファスナーが付着され、且つ、下端縁領域の内側に第２面ファスナーが付着され、表示体は、上端縁の近傍の領域の外側において被覆体の下端縁の近傍の内側と固着されるとともに、下端縁の近傍の領域の内側に、第３面ファスナーが付着され、表地は、上端縁の近傍の領域の外側に、第５面ファスナーが付着され、表示体を隠すときにおいては、被覆体の第１面ファスナーに表示体の下端縁の近傍の第３面ファスナーを係止させて、被覆体の内側に収納させ、表示体を見えるようにするときにおいては、表地の上端縁の近傍の領域に固着された面ファスナーと被覆体の下端の近傍の内側の第２面ファスナーと係止させて、被覆体と表地とを連結するように構成された、請求項１ないし請求項５のいずれかに記載の上衣である。
この考案の請求項７にかかる上衣は、第１面ファスナーは、左肩と右肩とに適宜な間隔をおいて分かれて、表示体を伸展した状態で収納して、被覆体にしわができずに外から表示体の存在を感じさせないように被覆体でおおわれるように構成された、請求項１ないし請求項６のいずれかに記載の上衣である。
この考案の請求項８にかかる上衣は、第３面ファスナーは、左肩と右肩とに適宜な間隔をおいて分かれて、表示体を伸展した状態で収納して、表示体にしわができずに外から表示体の存在を感じさせないように被覆体でおおわれるように構成された、請求項１ないし請求項７のいずれかに記載の上衣である。
この考案の請求項９にかかる上衣は、第５面ファスナーは、左脇下と右脇下とに適宜な間隔をおいて分かれて、表地と被覆体とを伸展した状態で重ねて連結され、表地及び被覆体にしわができないように構成された、請求項１ないし請求項８のいずれかに記載の上衣である。
この考案の請求項１０にかかる上衣は、被覆体は遮蔽性に富んだ織布で構成されている、請求項１ないし請求項９のいずれかに記載の上衣である。
この考案の請求項１１にかかる上衣は、身体の前をおおう前身頃と身体の後ろをおおう後ろ身頃とを備える上衣であって、後ろ身頃は、上下に分割され、上部分は、シート状表示体を覆うシート状被覆体で構成され、下部分は、被覆体の下部分に連結される、メッシュ素材の布及び／又は織布からなる表地で構成され、被覆体は、肩から脇下に至る長さを備えた、遮蔽性に富んだ織布で構成されている背面視略五角形であり、左脇下から右脇下に至る下端縁の近傍の領域が、下方の表地の上端縁の近傍の領域に重ねられ、上端が肩において前身頃と連結され、且つ、両端のアームホールの部分が腕を通すことができるように抉れ、両端が脇下において前身頃と連結されるとともに、表地は、上端が前記被覆体の下に連結され且つ両端が胴において前身頃と連結され、表示体の上端近傍を固定して、シート状表示体を下方の表地の外表面上に垂れ下がらせ、且つ、シート状表示体をその内側に収納してシート状表示体を被覆するように構成され、表示体は、背面視四角形の布片で、その外面に、身分、氏名、番号を表示され、被覆体の下端縁の近傍の領域の内側より下方に垂れ下がり、外から視認することができるとともに、被覆体の上端縁近傍の領域より下方に垂れ下がり、外から視認することができないように構成され、被覆体は、両肩領域の内側に第１面ファスナーが付着され、且つ、下端縁領域の内側に第２面ファスナーが付着され、表示体は、上端縁の近傍の領域の外側において被覆体の下端縁の近傍の内側と固着されるとともに、下端縁の近傍の領域の内側に、第３面ファスナーが付着され、表地は、上端縁の近傍の領域の外側に、第５面ファスナーが付着され、表示体を隠すときにおいては、被覆体の第１面ファスナーに表示体の下端縁の近傍の第３面ファスナーを係止させて、被覆体の内側に収納させ、表示体を見えるようにするときにおいては、表地の上端縁の近傍の領域に固着された面ファスナーと被覆体の下端の近傍の内側の第２面ファスナーと係止させて、被覆体と表地とを連結するように構成され、第１面ファスナーは、左肩と右肩とに適宜な間隔をおいて分かれて、表示体を伸展した状態で収納して、被覆体にしわができずに外から表示体の存在を感じさせないように被覆体でおおわれるように構成され、第３面ファスナーは、左肩と右肩とに適宜な間隔をおいて分かれて、表示体を伸展した状態で収納して、表示体にしわができずに外から表示体の存在を感じさせないように被覆体でおおわれるように構成され、第５面ファスナーは、左脇下と右脇下とに適宜な間隔をおいて分かれて、表地と被覆体とを伸展した状態で重ねて連結され、表地及び被覆体にしわができないように構成された、上衣である。
この考案の請求項１２にかかる上衣は、被覆体は、アームホールの上部における上端が肩領域において前身頃と連結され、表地は、アームホールの下部における両端が胴において前身頃と連結された、請求項１ないし請求項１１のいずれかに記載の上衣である。
この考案の請求項１３にかかる上衣は、公用で着衣する制服である、請求項１ないし請求項１２のいずれかに記載の上衣である。
【考案の効果】
【０００６】
この考案によれば、公務用、私服用の上衣を２つ準備しなくても良い。
また、表示部分を隠すために、着替えたり、重ね着したりする必要がない。
しかも、例えば身分証明する必要があるときに、表示部分を見せることができるが、隠しておきたいときには、隠した表示部分が、外表面に出てきにくい構造になっている。
【０００７】
この考案の上述の目的，その他の目的，特徴および利点は、図面を参照して行う以下の考案を実施するための最良の形態の詳細な説明から一層明らかとなろう。
【図面の簡単な説明】
【０００８】
【図１】この考案にかかる一実施の形態である上衣の正面図解図である。
【図２】図１図示上衣の背面図解図である。
【図３】図２Ａ−Ａ断面図である。
【図４】図１図示上衣の表示体を隠した状態における背面図解図である。
【図５】図４Ｂ−Ｂ断面図解図である。
【図６】図１図示上衣の側面図解図である。
【図７】表示体の正面図解図である。
【図８】表地の背面図解図である。
【図９】図１図示上衣の名札の構造を示す斜視図解図であり、（Ａ）は名札を外した状態を示す図であり、（Ｂ）は名札を取り付けた状態を示す図である。
【考案を実施するための形態】
【０００９】
この考案にかかる上衣１０は、警察官が公用で着衣する制服の上衣であって、警察官の身体の前をおおう前身頃１２と、身体の後ろをおおう後ろ身頃１４とを備える。
この上衣１０の後ろ身頃１４は、上下に分割され、その上部は、シート状表示体２０を覆うシート状被覆体１６で構成され、その下部は、被覆体１６の下端部に連結される、表地１８で構成されている。
【００１０】
前記被覆体１６は、表示体２０の上端近傍を固定して、シート状表示体２０を下部の表地１８の外表面上に垂れ下がらせ、且つ、シート状表示体２０をその内側に収納してシート状表示体２０を被覆するように構成されている。
【００１１】
後ろ身頃１４が上下に分割されてなる、上部の被覆体１６は、肩から脇下に至る長さを備えている。
被覆体１６は、上端が肩領域４２において前身頃１２と連結され、且つ、左右両端のアームホール４４，４６の部分が腕を通すことができるように抉れ、脇下において両端が前身頃１２と連結されている。
この実施の形態においては、被覆体１６は、左アームホール４４の上の肩領域４２及び右アームホール４６の上の肩領域４２において、前身頃１２と連結されている。
【００１２】
表地１８は、上端が前記被覆体１６の下に連結され且つ両端が胴において前身頃１２と連結され、背中をおおうように被覆体１６の下方に垂れ下がらせている。
この実施の形態においては、表地１８は背中の下方の胴部分を中心におおうように、メッシュ素材の布、織布等で構成されている。
【００１３】
被覆体１６は、肩領域４２から左脇領域４８の下及び右脇領域５０の下に至る長さ、並びに、左右両端縁に形成された左脇領域４８から右脇領域５０に至る幅及び左アームホール４４から右アームホール４６に至る幅を備えた、背面視略五角形の遮蔽性に富んだ織布である。
【００１４】
被覆体１６は、左右両方の肩領域４２の内側に第１面ファスナー５６が付着され、且つ、被覆体の下端縁の近傍の領域５２の内側に第２面ファスナー５８が付着されている。
第１面ファスナー５６は、左肩と右肩とに適宜な間隔をおいて分かれて、表示体２０を伸展した状態で収納したとき、被覆体１６にしわ等ができずに外から表示体２０の存在を感じさせないように被覆体１６でおおわれるように構成されている。
【００１５】
表示体２０は、被覆体の下端縁の近傍の領域５２の内側より下方に伸展した状態で垂れ下がり、外から視認することができるとともに、被覆体１６の内側において被覆体１６の上端縁の近傍の領域すなわち肩領域４２より下方に伸展した状態で垂れ下がり、外から視認することができないように構成されている。
この実施の形態においては、左脇下から右脇下に至る幅を備え、伸展した状態で垂れ下がるように構成されている。
【００１６】
表示体２０は、背面視四角形の布片で、その外面に、身分、氏名、番号を表示されている
表示体２０は、表示体の上端縁の近傍の領域６０の外側において被覆体の下端縁の近傍の領域５２の内側と伸展した状態で縫合して固着される。
そして、表示体２０は、表示体の下端縁の近傍の領域６２の内側に、第３面ファスナー６４が付着されるとともに、表示体の上端縁の近傍の領域６０の上端縁近傍の内側において、左脇下と右脇下とに適宜な間隔をおいて分かれて第４面ファスナー６６が付着されている。
第３面ファスナー６４は、左肩と右肩とに適宜な間隔をおいて分かれて、表示体２０を伸展した状態で収納したとき、表示体２０にしわ等ができずに外から表示体２０の存在を感じさせないように被覆体１６でおおわれるように構成されている。
【００１７】
表地１８は、表地の上端縁の近傍の領域７０の外側に、第５面ファスナー７２が付着されている。
第５面ファスナー７２は、左脇下と右脇下とに適宜な間隔をおいて分かれて、表地１８と被覆体１６とを伸展した状態で、表示体２０の上端縁近傍の内側において、左脇下と右脇下とに適宜な間隔をおいて分かれて設けられた第４面ファスナー６６に重ねて連結され、表地１８及び被覆体１６にしわ等ができないように構成されている。もっとも、第４面ファスナー６６は、なくてもよい。
表地１８は、下方の表地の上端縁の近傍の領域７０が、左脇領域４８の下から右脇領域５０の下に至る被覆体の下端縁の近傍の領域５２と、重ねられる。
【００１８】
表示体２０を被覆体１６の内側に隠すときにおいては、被覆体１６の第１面ファスナー５６に表示体の下端縁の近傍の領域６２の第３面ファスナー６４を係止させて、被覆体１６の内側に収納させる。
【００１９】
表示体２０を外から見えるようにするときにおいては、被覆体１６の内側から表示体２０を取り外して下方に垂れ下がらせて、表地の上端縁の近傍の領域７０に固着された第５面ファスナー７２と被覆体１６の下端縁の近傍の領域５２の内側の第２面ファスナー５８と係止させて、被覆体１６と表地１８とを連結するように構成されている。
【００２０】
前身頃１２は、左右両端のアームホール４４，４６の部分が腕を通すことができるように抉れ、脇下において両端が被覆体１６と連結されている。
また、前身頃１２は、左アームホール４４の下部及び右アームホール４６の下部の胴において、両端が表地１８と連結されている。
この実施の形態においては、記章９０が、前身頃１２のポケット９２の外表面に着脱可能に設けられている。記章９０は、その裏面の面ファスナー部９４を、ポケット９２の外表面に設けられた面ファスナー９６に係止させて、着脱自在に前身頃１２に固定される。
【産業上の利用可能性】
【００２１】
この考案にかかる上衣は、ジャケット、作業服、ウインドブレーカ、アウターベスト、チョッキ等に用いることができる。
【符号の説明】
【００２２】
１０  上衣
１２  前身頃
１４  後ろ身頃
１６  被覆体
１８  表地
２０  表示体
４２  肩領域
４４  左アームホール
４６  右アームホール
４８  左脇領域
５０  右脇領域
５２  被覆体の下端縁の近傍の領域
５６  第１面ファスナー
５８  第２面ファスナー
６０  表示体の上端縁の近傍の領域
６２  表示体の下端縁の近傍の領域
６４  第３面ファスナー
６６  第４面ファスナー
７０  表地の上端縁の近傍の領域
７２  第５面ファスナー
９０  記章
９２  ポケット
９４  面ファスナー部
９６  面ファスナー
【図１】
0003150548.tif 000003
【図２】
0003150548.tif 000004
【図３】
0003150548.tif 000005
【図４】
0003150548.tif 000006
【図５】
0003150548.tif 000007
【図６】
0003150548.tif 000008
【図７】
0003150548.tif 000009
【図８】
0003150548.tif 000010
【図９】
0003150548.tif 000011